(57)【要約】【課題】  電話番号を入力することにより，携帯電話を通じてウェブページに接続する無線インターネット接続装置及び接続方法を提供する。【解決手段】  ユーザ携帯電話１からの発信情報を受信するための発信情報受信部１４と，無線インターネット網への接続のための無線インターネット網接続部１８と，複数個の電話番号と各電話番号に対応するウェブページのアドレスが貯蔵されるウェブページアドレスデータベース２４と，発信情報受信部１４を通じて受信された発信情報に電話番号信号と電話番号信号とは区分される識別キー信号が含まれるか否かを確認し，識別キー信号が含まれる場合，ウェブページアドレスデータベース２４から電話番号に対応するウェブページアドレスを検索して，無線インターネット網接続部１８を通じてウェブページに接続するネットワーク接続制御部１２と，を含む。【選択図】    図２
2004157991.tif 000002
【特許請求の範囲】
【請求項１】
無線インターネット接続装置において；
ユーザの携帯電話から発信された発信情報を受信するための発信情報受信部と，
前記ユーザの携帯電話を無線インターネット網への接続するための無線インターネット網接続部と，
複数個の電話番号と前記電話番号に対応するウェブページのアドレスとが貯蔵されるウェブページアドレスデータベースと，
前記発信情報受信部を通じて受信された発信情報に電話番号信号と前記電話番号信号とは区分される識別キー信号とが含まれているか否かを確認し，前記識別キー信号が含まれていると判断される場合，前記ウェブページアドレスデータベースから前記電話番号に対応するウェブページアドレスを検索して，前記ユーザの携帯電話が前記無線インターネット網接続部を通じて無線インターネット網に接続し，前記ウェブページアドレスを有するウェブページに接続されるネットワーク接続制御部と，
を含むことを特徴とする無線インターネット接続装置。
【請求項２】
前記ユーザの携帯電話を移動通信網へ接続するための移動通信網接続部をさらに含み，
前記ネットワーク接続制御部は，前記発信情報に前記識別キー信号が含まれていないと確認された場合，前記ユーザの携帯電話が前記移動通信網接続部を通じて移動通信網に接続し，前記発信情報に含まれた前記電話番号に該当する電話機に接続されることを特徴とする請求項１に記載の無線インターネット接続装置。
【請求項３】
無線インターネット接続方法において；
ユーザの携帯電話から発信された発信情報を受信する段階と，
受信された前記発信情報に電話番号信号と前記電話番号信号とは区分される識別キー信号が含まれているか否かを確認する段階と，
前記識別キー信号が含まれていると判断される場合，前記電話番号に対応するウェブページアドレスを検索する段階と，
前記ユーザ携帯電話を，前記ウェブページアドレスを有するウェブページに接続する段階と，
を含むことを特徴とする無線インターネット接続方法。
【請求項４】
前記発信情報に前記識別キー信号が含まれていないと確認された場合，前記ユーザの携帯電話が前記発信情報に含まれた前記電話番号に該当する電話機と通話できるように接続する段階を含むことを特徴とする請求項３に記載の無線インターネット接続方法。
【発明の詳細な説明】
【技術分野】
【０００１】
本発明は，インターネット接続装置及びインターネット接続方法にかかり，さらに詳しくは，ＵＲＬに代わり電話番号を入力して携帯電話を通じて無線インターネットウェブページに接続できるようにするインターネット接続装置及びインターネット接続方法に関する。
【背景技術】
【０００２】
最近，携帯電話を通じてインターネットサービスを提供する無線インターネットシステムが普及されている。無線インターネットシステムは，移動通信端末機を通じてインターネットサービスを提供するシステムとして，ＷＡＰ（Ｗｉｒｅｌｅｓｓ  Ａｐｐｌｉｃａｔｉｏｎ  Ｐｒｏｔｏｃｏｌ），ＭＥ等の無線インターネットプロトコルを利用して，ＷＭＬ，ＨＤＭＬ，ｍＨＴＭＬ，ｃＨＴＭＬ等のマークアップ言語に作成された文書を無線インターネット網を通じて携帯電話に提供する。
【０００３】
無線インターネットを通じてウェブページに接続しようとする場合，ユーザは携帯電話に接続しようとするウェブページのアドレスを入力して，インターネット連結を選択することにより，希望するウェブページ接続することができる。ここで，ユーザが入力する無線インターネットウェブページアドレスは，ｈｔｔｐ：／／ｗｗｗ．ｓａｍｓｕｎｇ．ｃｏｍのように，通常のコンピュータのウェブブラウザを通じてウェブサーバーに接続する時に使用されるＵＲＬと同一の形態を有している。
【０００４】
ところが，携帯電話の場合，入力ボタンがキーパッド形態に設けられるので，長い言葉を入力するには適しなく，ＵＲＬを入力するためには入力モードを英語に切換える等の操作が必要となり不便である。
【０００５】
このような問題を解決するために，ユーザが携帯電話に接続しようとするウェブページのアドレスとそれに対応する数字や代表電話番号をあらかじめ入力するようにすることにより，以後のウェブページに接続する時に，ＵＲＬの代わりすでに設定した数字や代表電話番号だけを入力して，ウェブページに接続できるようにする技術が知られている。
【発明の開示】
【発明が解決しようとする課題】
【０００６】
ところが，このような従来の技術によると，ＵＲＬとＵＲＬの代わり使用される数字や代表電話をユーザが前もって入力しなければならない不便があり，ユーザが接続しようとするウェブページのアドレスが全然わからない場合には，前もって入力することが不可能であるという問題がある。
【０００７】
そこで，本発明は，このような問題に鑑みてなされたもので，その目的とするところは，ユーザの携帯電話から，簡単に無線インターネットウェブページへの接続ができるようにする無線インターネット接続装置及び無線インターネット接続方法を提供することである。
【課題を解決するための手段】
【０００８】
上記課題を解決するために，本発明のある観点によれば，無線インターネット接続装置において，ユーザの携帯電話から発信された発信情報を受信するための発信情報受信部と，ユーザの携帯電話を無線インターネット網への接続するための無線インターネット網接続部と，複数個の電話番号と電話番号に対応するウェブページのアドレスとが貯蔵されるウェブページアドレスのデータベースと，発信情報受信部を通じて受信された発信情報に電話番号信号と電話番号信号とは区分される識別キー信号とが含まれているか否かを確認し，識別キー信号が含まれていると判断される場合，ウェブページアドレスのデータベースから電話番号に対応するウェブページアドレスを検索して，ユーザの携帯電話が無線インターネット網接続部を通じて無線インターネット網に接続し，ウェブページアドレスを有するウェブページに接続されるネットワーク接続制御部と，を含むことを特徴とする無線インターネット接続装置が提供される。
【０００９】
さらに，ユーザの携帯電話を移動通信網へ接続するための移動通信網接続部をさらに含み，ネットワーク接続制御部は，発信情報に識別キー信号が含まれていないと確認された場合，ユーザの携帯電話が移動通信網接続部を通じて移動通信網に接続し，発信情報に含まれた電話番号に該当する電話機に接続することができる。
【００１０】
また，上記無線インターネット接続装置を用いた無線インターネット接続方法において，ユーザの携帯電話から発信された発信情報を受信する段階と，受信された発信情報に電話番号信号と電話番号信号とは区分される識別キー信号が含まれているか否かを確認する段階と，識別キー信号が含まれていると判断される場合，電話番号に対応するウェブページアドレスを検索する段階と，ユーザ携帯電話を，ウェブページアドレスを有するウェブページに接続する段階と，を含むことを特徴とする無線インターネット接続方法が提供される。
【００１１】
従来のように携帯電話からＵＲＬアドレスを入力するのは不便であったが，ウェブページアドレスに対応する電話番号で，インターネット接続ができるので，操作が容易となる。
【００１２】
さらに，発信情報に識別キー信号が含まれていないと確認された場合，ユーザの携帯電話が発信情報に含まれた電話番号に該当する電話機と通話できるように接続する段階を含むことにより，従来の電話接続をすることができる。こうして，識別キー信号の有無によって簡単にウェブページに接続するのか，電話接続するのかを判断することができる。
【発明の効果】
【００１３】
以上詳述したように本発明によれば，ＵＲＬに代わり電話番号を入力することにより，携帯電話を通じて無線インターネットウェブページに接続することができる無線インターネット接続装置及び無線インターネット接続方法を提供することができる。
【発明を実施するための最良の形態】
【００１４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１５】
図１は本実施の形態による無線インターネット接続装置の運用状態を示した構成図である。図面に示すように，無線インターネット接続ができるユーザ携帯電話１と，ユーザ携帯電話１から発信された電話番号情報を含む発信情報を受信して無線インターネット接続が選択されたか否かを判断して，ユーザ携帯電話１を相手の電話機７またはウェブページサーバ９と連結させる無線インターネット接続装置１０をと，含む。
【００１６】
ユーザ携帯電話１は，移動通信網３を通じる電話通話機能だけでなく，無線インターネット網５を通じたウェブページ接続ができる。ここで，ウェブページは，ＷＭＬ，ＨＤＭＬ，ｍＨＴＭＬ等のマークアップ言語で作成されて無線インターネット網５を通じて携帯電話に提供される。このようなウェブページを電話ページと称する。
【００１７】
ここで，ユーザがユーザ携帯電話１を通じてウェブページに接続しようとする場合，ユーザはウェブページの所有者の電話番号を入力し，電話番号入力とは区分される識別キーを選択することにより，ウェブページに接続することができる。ここで，無線インターネット接続を選択するための識別キーとしては＃，＊等の特殊キーや携帯電話に設けられたインターネット接続キーであることができる。
【００１８】
無線インターネット接続装置１０は，ユーザ携帯電話１から発信された電話番号情報を含む発信情報を受信し，受信された発信情報にしたがってユーザ携帯電話１を相手の電話機７またはウェブページが貯蔵されたウェブページサーバ９と連結させる。
【００１９】
発信情報に電話番号入力だけが含まれている場合，無線インターネット接続装置１０は，ユーザ携帯電話１がユーザの入力した電話番号を有する相手の電話機７と移動通信網３を通じて接続される。これにより，ユーザは，入力した電話番号の所有者と電話通話をすることができる。
【００２０】
一方，発信情報に電話番号入力及び電話番号入力とは区分される所定の識別キー入力が含まれている場合，無線インターネット接続装置１０はユーザ携帯電話１がウェブページサーバ９に連結されるようにし，無線インターネット網５を通じてユーザが入力した電話番号を有する相手のウェブページに接続されるようにする。
【００２１】
このような無線インターネット接続装置１０の機能について，図２を参照して詳細に説明する。図２は無線インターネット接続装置１０の制御ブロック図である。
【００２２】
図２に示すように，本無線インターネット接続装置１０は，ユーザ携帯電話１から発信された発信情報を受信するための発信情報受信部１４と，音声通話のためのユーザ携帯電話１と相手の電話機７との接続をできるようにする移動通信網接続部１６と，ウェブページ接続のためのユーザ携帯電話１とウェブページサーバ９との接続をできるようにする無線インターネット網接続部１８と，電話番号及びこれに対応するウェブページのアドレスが貯蔵されるデータベース２０と，発信情報受信部１４を通じて受信された発信情報に基づいてユーザが移動通信網接続部１６を通じて相手と音声通話をしたり，無線インターネット網接続部１８を通じてウェブページに接続できるようにしたりするネットワーク接続制御部１２と，を含む。
【００２３】
発信情報受信部１４は，ユーザ携帯電話１から発信された情報を受信する。ユーザは，携帯電話１を利用して電話通話をしたり，ウェブページに接続したりするために，携帯電話に相手の電話機７の電話番号等を入力して発信する。
【００２４】
ここで，ユーザが相手と電話通話をしようとする場合，発信情報受信部１４にはユーザ携帯電話１で入力される相手の電話機７の電話番号信号が受信される。また，ユーザが特定ウェブページに接続しようとする場合，発信情報受信部１４には，ユーザ携帯電話１で入力されるウェブページ所有者の電話番号信号及び電話番号入力とは区分される識別キー信号がともに受信される。ここで，電話番号入力区分される識別キーとしては＃，＊等の特殊キーや，携帯電話に設けられたインターネット接続キーであることが好ましい。
【００２５】
発信情報受信部１４は，ユーザ携帯電話１で発信された情報を受信してネットワーク接続制御部１２に提供する。
【００２６】
データベース２０は，電話番号データベース２２とウェブページアドレスデータベース２４とを含む。電話番号データベース２２には，電話使用者に割当された電話番号データが貯蔵されてウェブページアドレスデータベース２４には各電話番号に該当するウェブページアドレスが貯蔵される。
【００２７】
ネットワーク接続制御部１２は，発信情報受信部１４を通じて受信されたユーザの発信情報に電話番号入力の以外に電話番号入力と区分される識別キー入力が含まれているか否かを判断する。ネットワーク接続制御部１２の判断結果から，発信情報に電話番号入力だけが含まれている場合，ネットワーク接続制御部１２は，移動通信網接続部１６を通じてユーザ携帯電話１が移動通信網３に接続して，相手の電話機７と連結されることができるようにする。
【００２８】
一方，発信情報の確認結果，ユーザの発信情報に電話番号入力とともに電話番号入力とは区分される識別キー入力が含まれたと判断された場合，ネットワーク接続制御部１２はデータベース２０に貯蔵された電話番号及び各電話番号に対応されるウェブページアドレスデータからユーザが入力した電話番号に該当されるウェブページアドレスを検索する。
【００２９】
ウェブページアドレスが検索されると，ネットワーク接続制御部１２は，無線インターネット網接続部１８を通じてウェブページサーバ９に接続してウェブページアドレスに該当されるウェブページを探してユーザ携帯電話１が無線インターネット網５を通じて該当ウェブページに連結されるようにする。
【００３０】
このように，本発明はユーザが電話番号及び電話番号とは区別される識別キーを入力した場合，ユーザ携帯電話１の接続を仲介する無線インターネット接続装置１０側でユーザが入力した電話番号に該当するウェブページを検索してユーザが希望するウェブページに接続できるようにしている。したがって，ユーザは，接続しようとするウェブページのアドレスをわからなくても，ウェブページの所有者の電話番号を入力することにより，希望するウェブページの自動接続ができる。
【００３１】
図３は本発明による無線インターネット接続装置を利用した無線インターネット接続方法のフローチャートである。
【００３２】
無線インターネット接続装置１０は，発信情報受信部１４を通じてユーザ携帯電話１から発信された発信情報を受信する（３０）。無線インターネット接続装置１０のネットワーク接続制御部１２は，ユーザ携帯電話１から受信された発信情報に電話番号入力の以外にも電話番号入力と区分される識別キーの入力が含まれているか否かを判断する（３２）。
【００３３】
識別キー入力が含まれていないと判断される場合，ネットワーク接続制御部１２は，ユーザ携帯電話１と発信情報に含まれた電話番号に該当する電話機が移動通信網３を通じて連結されるようにして両者間の電話通話をできるようにする（３４）。
【００３４】
一方，発信情報に電話番号入力と区分される識別キー入力が含まれたと判断された場合，ネットワーク接続制御部１２は，入力された電話番号に該当するウェブページアドレスを検索する（３６）。ウェブページアドレスが検索されると，ネットワーク接続制御部１２は，ユーザ携帯電話１が無線インターネット網５を通じて検索されたウェブページアドレスを有するウェブページに接続されるようにする（３８）。
【００３５】
以上で説明したように，本発明はユーザが携帯電話に電話番号以外にも，電話番号入力とは区別される識別キーをともに入力することにより，発信情報を受信した無線インターネット接続装置側で電話番号に該当されるウェブページアドレスを検索して該当ウェブページに接続することができるようにしている。したがって，ユーザは相手の電話機の電話番号を入力することだけで，相手のウェブページに接続することができる。
【００３６】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００３７】
本発明は，インターネット接続装置及びインターネット接続方法に適用可能であり，電話番号を入力して携帯電話を通じて無線インターネットウェブページに接続できるインターネット接続装置及びインターネット接続方法に適用可能である。
【図面の簡単な説明】
【００３８】
【図１】本発明による無線インターネット接続装置の運用状態を示す説明図である。
【図２】本発明による無線インターネット接続装置の制御ブロック図である。
【図３】本発明による無線インターネット接続装置の無線インターネット接続方法を示すフローチャートである。
【符号の説明】
【００３９】
１      ユーザ携帯電話
３      移動通信網
５      無線インターネット網
７      相手の電話機
９      ウェブページサーバ
１０    無線インターネット接続装置
１２    ネットワーク接続制御部
１４    発信情報受信部
１６    移動通信網接続部
１８    無線インターネット網接続部
２０    データベース
２２    電話番号データベース
２４    ウェブページアドレスデータベース
【図１】
2004157991.tif 000003
【図２】
2004157991.tif 000004
【図３】
2004157991.tif 000005